(57)【要約】【課題】現場における作業効率を大幅に向上して、雨水等の流入、流出配管の施工の位置精度が向上して配管の取り付け強度も大幅に向上すると共に、メンテナンスも容易な雨水貯留用骨格ブロック構造体を提供する。【解決手段】平板状の基台と該基台の少なくとも一方の面に立設されて該基台を支持する支持体から形成される空間保持可能な骨格ブロックを三次元的に配列させた雨水流入部を有する雨水貯留用骨格ブロック構造体であって、前記骨格ブロック構造体の外壁面の一部を形成するように雨水流入部に配設された流入部ユニットにおいて、該流入部ユニットはその外壁面がパネルで形成されており、かつ雨水流入用の配管が該パネルに固定されていることを特徴とする雨水貯留用骨格ブロック構造体。【選択図】  なし【特許請求の範囲】
【請求項１】
平板状の基台と該基台の少なくとも一方の面に立設されて該基台を支持する支持体から形成される空間保持可能な骨格ブロックを三次元的に配列させた雨水流入部を有する雨水貯留用骨格ブロック構造体であって、
前記骨格ブロック構造体の外壁面の一部を形成するように雨水流入部に配設された流入部ユニットにおいて、
該流入部ユニットはその外壁面がパネルで形成されており、
かつ雨水流入用の配管がフランジ継ぎ手又は配管をパネルに溶接することにより該パネルに固定されていることを特徴とする雨水貯留用骨格ブロック構造体。
【請求項２】
平板状の基台と該基台の少なくとも一方の面に立設されて該基台を支持する支持体から形成される空間保持可能な骨格ブロックを三次元的に配列させた雨水流出部を有する雨水貯留用骨格ブロック構造体であって、
前記骨格ブロック構造体の外壁面の一部を形成するように雨水流出部に配設された流出部ユニットにおいて、
該流出部ユニットはその外壁面がパネルで形成されており、
かつ雨水流出用の配管がフランジ継ぎ手又は配管をパネルに溶接することにより該パネルに固定されていることを特徴とする雨水貯留用骨格ブロック構造体。
【請求項３】
平板状の基台と該基台の少なくとも一方の面に立設されて該基台を支持する支持体から形成される空間保持な骨格ブロックを三次元的に配列させた雨水貯留用骨格ブロック構造体であって、
前記ブロック構造体に当接面には開口部が設けられ、当接面以外の５つの外壁面がパネルで形成された流入部ユニットが、ブロック構造体から突出するように配設され、かつ雨水流入用の配管がフランジ継ぎ手又は配管をパネルに溶接することにより該パネルに固定されていることを特徴とする雨水貯留用骨格ブロック構造体。
【請求項４】
平板状の基台と該基台の少なくとも一方の面に立設されて該基台を支持する支持体から形成される空間保持な骨格ブロックを三次元的に配列させた雨水貯留用骨格ブロック構造体であって、
前記ブロック構造体に当接面には開口部が設けられ、当接面以外の５つの外壁面がパネルで形成された流出部ユニットが、ブロック構造体から突出するように配設され、かつ雨水流出用の配管がフランジ継ぎ手又は配管をパネルに溶接することにより該パネルに固定されていることを特徴とする雨水貯留用骨格ブロック構造体。
【請求項５】
請求項１ないし４のいずれか１項に記載の三次元規則配列した雨水貯留用骨格ブロック構造体において、前記骨格ブロックの配列が水平面方向と垂直面方向の互いに直交する３方向に連続して規則配列されていることを特徴とする雨水貯留用骨格ブロック構造体。
【請求項６】
請求項１ないし５のいずれか１項に記載の雨水貯留用骨格ブロック構造体において、前記流入部ユニット又は流出部ユニットのいずれかあるいはその両者を除く骨格ブロックの単位の見かけ上の専有空間が立方体または直方体である雨水貯留用骨格ブロック構造体。
【請求項７】
請求項１ないし６のいずれか１項に記載の雨水貯留用骨格ブロック構造体において、前記流入部ユニット又は流出部ユニットのいずれかあるいはその両者の大きさが骨格ブロックの単位の大きさと同一かまたはその整数倍である雨水貯留用骨格ブロック構造体。
【請求項８】
請求項１ないし６のいずれか１項に記載の雨水貯留用骨格ブロック構造体において、前記流入部ユニット又は流出部ユニットのいずれかあるいはその両者の大きさが骨格ブロックの単位の各辺のサイズと同一か、あるいは少なくともその１辺が骨格ブロックの対応する辺の長さの整数倍である雨水貯留用骨格ブロック構造体。
【請求項９】
請求項１、２及び５ないし８のいずれか１項に記載の雨水貯留用骨格ブロック構造体において、前記流入部ユニット又は流出部ユニットのいずれかあるいはその両者がパネルで形成された外壁面以外の他の面がフレーム構造である雨水貯留用骨格ブロック構造体。
【請求項１０】
請求項１、２及び５ないし８のいずれか１項に記載の雨水貯留用骨格ブロック構造体の流入部ユニット又は流出部ユニットのいずれかあるいはその両者において、側面（外壁面を除く）の１つを除き他の面はすべてパネルで形成されている雨水貯留用骨格ブロック構造体。
【請求項１１】
請求項１、２及び５ないし８のいずれか１項に記載の雨水貯留用骨格ブロック構造体の流入部ユニットにおいて、側面（外壁面を除く）の少なくとも１つの面の流入雨水がブロック構造体側にオーバーフローするようにその側面の下部のみがパネルで形成され、他の側面及び底面はパネルで形成されている雨水貯留用骨格ブロック構造体。
【請求項１２】
請求項３、及び５ないし８のいずれか１項に記載の雨水貯留用骨格ブロック構造体の流入部ユニットにおいて、前記ブロック構造体に当接している面が、流入雨水がブロック構造体側にオーバーフローするようにその側面の下部のみがパネルで形成されている雨水貯留用骨格ブロック構造体。
【請求項１３】
請求項１ないし請求項１２のいずれか１項に記載の雨水貯留用骨格ブロック構造体において、前記流入部ユニット又は流出部ユニットのいずれかあるいはその両者にフランジ継ぎ手又は配管が固定されている外壁面パネルが取り外し可能な構造である雨水貯留用骨格ブロック構造体。
【発明の詳細な説明】
【技術分野】
【０００１】
本発明は、ビルあるいは、集合住宅、特に団地等において、雨水等を防火用や散水用、あるいは洪水防止用等として使用すべく貯水するための雨水等の貯留施設である、雨水貯留用骨格ブロック構造体に関するものである。
【背景技術】
【０００２】
従来から、例えば、大きなビルや団地周辺の空き地や自転車置き場の地下等において、降った雨水を貯留する貯水施設が種々設けられている。
【０００３】
その１つのタイプは、雨水を一次的に貯水施設に貯えておいて、少しずつ下水に放流しり、周囲に浸透させて都市型の洪水を防ぐ目的で設けられているもの（一時貯水型）である。他の１つのタイプは、貯水施設に貯めた雨水を防火水として、あるいは花壇、菜園等の散水用として利用する目的で設けられたもの（貯水型）である。
【０００４】
特に昨今では、夏季の水不足に備えて、新しくビルや団地を建設する場合には、しばしばこの雨水等の貯留施設が設けられるようになってきている。
【０００５】
この種の典型的な例として特許文献１に記載の貯水施設がある。これは前述した前者のタイプ、すなわち、都市型の洪水を防ぐ目的のための一時貯水施設である。
【０００６】
この施設は図１に示すが、以下の工法で組み立てられる。
【０００７】
予め地面１を掘り下げて、例えば平面形状が長方形の掘穴２を形成し、しかる後にこの堀穴２の内表面（側面２ａと底面２ｂを含む）を砂利や不織布等で覆い内張層３を形成する。尚、貯水型の雨水等の貯留施設であれば防水シートで覆う。
【０００８】
内張層が形成されたら該堀穴２内に容器上の骨格ブロック４を上下縦横に組み付け、その内部に貯水空間を有する空間保持骨格ブロック構造体５を形成する。空間保持骨格ブロック構造体５ができ上がったら、最後に空間保持骨格ブロック構造体５上に、砂利や土を埋め戻して被覆層９を形成する。
【０００９】
尚、図１において、符号１０は貯水部２への雨水等の流入口を、符号１１は流出口を示している。
【００１０】
また、これまで上記防水シートで覆われた貯留施設において、雨水等の流入管と流出管の取り付けは以下の方法で行われていた。
【００１１】
先ず、骨格ブロックを上下縦横に組み付けて空間保持骨格ブロック構造体を形成する。次に該空間保持骨格ブロック構造体の流入管と流出管を取り付け部分に位置する骨格ブロックを取り外し、又は切断等により、空間保持骨格ブロック構造体中に流入管と流出管が配置できるスペースを確保する。中央部に該配管外径に相当する開口部を設けた防水シートで配管を配設する周囲の外壁面を覆い、次いで該配管を防水シートの開口部に挿入後、該配管と防水シートの接触部分を接着剤でシールしていた。
【特許文献１】特公平４−２６６４８号公報（特開昭６３−２６８８２３号公報）
【発明の開示】
【発明が解決しようとする課題】
【００１２】
上記特許文献１に記載の貯水施設において、図１に示す側壁部に設けられた側溝部の下流側先端は砂利層で囲まれているので、泥水を含む雨水が流入してきた場合には閉塞のトラブルが生じて十分な流量を確保できないおそれがあり、他方長期間の使用においてそのメンテナンスも構造上困難である。
【００１３】
又、上記したように、ブロック構造体中を防水シートで覆った後配管を挿入する工法では、現場合わせの工法になるために施工に手間がかかり、施行のバラツキが生じ易く、配管が十分に固定されていないために配管がぐらつき易く、外壁面と配管とのシール部分に剥離も生じ易く、更に配管がブロック構造体中に突出しているために、ブロック構造体内部の配管先端部近傍にブロック柱部があると水の流れに抵抗が生ずるおそれがある。
【００１４】
また、構造上泥溜めマスを設置することは困難である。
【課題を解決するための手段】
【００１５】
本発明は、上記した課題を解決するために鋭意検討した結果、雨水等の貯留施設の雨水流入部ユニット又は流出部ユニットの外壁面をパネルで形成して、雨水流入又は流出用の配管がそのフランジ継ぎ手により該パネルに当接して固定した構造とすることにより、本発明を完成させた。
【００１６】
すなわち、本発明は、
（１）平板状の基台と該基台の少なくとも一方の面に立設されて該基台を支持する支持体から形成される空間保持可能な骨格ブロックを三次元的に配列させた雨水流入部を有する雨水貯留用骨格ブロック構造体であって、
前記骨格ブロック構造体の外壁面の一部を形成するように雨水流入部に配設された流入部ユニットにおいて、
該流入部ユニットはその外壁面がパネルで形成されており、
かつ雨水流入用の配管がフランジ継ぎ手又は配管をパネルに溶接することにより該パネルに固定されていることを特徴とする雨水貯留用骨格ブロック構造体（実施形態１）、
（２）平板状の基台と該基台の少なくとも一方の面に立設されて該基台を支持する支持体から形成される空間保持可能な骨格ブロックを三次元的に配列させた雨水流出部を有する雨水貯留用骨格ブロック構造体であって、
前記骨格ブロック構造体の外壁面の一部を形成するように雨水流出部に配設された流出部ユニットにおいて、
該流出部ユニットはその外壁面がパネルで形成されており、
かつ雨水流出用の配管がフランジ継ぎ手又は配管をパネルに溶接することにより該パネルに固定されていることを特徴とする雨水貯留用骨格ブロック構造体（実施形態２）、
（３）平板状の基台と該基台の少なくとも一方の面に立設されて該基台を支持する支持体から形成される空間保持な骨格ブロックを三次元的に配列させた雨水貯留用骨格ブロック構造体であって、
前記ブロック構造体に流入部ユニットが当接している当接面には開口部が設けられ、該当接面以外の５つの外壁面がパネルで形成された該流入部ユニットが該ブロック構造体から突出するように配設され、かつ雨水流入用の配管がフランジ継ぎ手又は配管をパネルに溶接することにより該パネルに固定されていることを特徴とする雨水貯留用骨格ブロック構造体（実施形態３）、
及び（４）平板状の基台と該基台の少なくとも一方の面に立設されて該基台を支持する支持体から形成される空間保持な骨格ブロックを三次元的に配列させた雨水貯留用骨格ブロック構造体であって、
前記ブロック構造体に流出部ユニットが当接している当接面には開口部が設けられ、該当接面以外の５つの外壁面がパネルで形成された該流出部ユニットが該ブロック構造体から突出するように配設され、かつ雨水流出用の配管がフランジ継ぎ手又は配管をパネルに溶接することにより該パネルに固定されていることを特徴とする雨水貯留用骨格ブロック構造体（実施形態４）、
実施形態１ないし４においては更に下記（５）〜（１３）の態様とすることが可能である。
（５）前記（１）ないし（４）に記載の三次元規則配列した雨水貯留用骨格ブロック構造体において、前記骨格ブロックの配列が水平面方向と垂直面方向の互いに直交する３方向に連続して規則配列されていること、
（６）前記（１）ないし（５）に記載の雨水貯留用骨格ブロック構造体において、前記流入部ユニット又は流出部ユニットあるいはその両者を除く骨格ブロック単位の見かけ上の占有空間が立方体または直方体であること、
（７）前記（１）ないし（６）に記載の雨水貯留用骨格ブロック構造体において、前記流入部ユニット又は流出部ユニットのいずれかあるいはその両者の大きさが骨格ブロックの単位の大きさと同一かまたはその整数倍である雨水貯留用骨格ブロック構造体。
（８）前記（１）ないし（６）に記載の前記雨水貯留用骨格ブロック構造体において、前記流入部ユニット又は流出部ユニットのいずれかあるいはその両者の大きさが骨格ブロックの単位の各辺のサイズと同一か、あるいは少なくともその１辺が骨格ブロックの対応する辺の長さの整数倍であること、
（９）前記（１）、（２）、及び（５）ないし（８）に記載の雨水貯留用骨格ブロック構造体において、前記流入部ユニット又は流出部ユニットのいずれかあるいはその両者のパネルで形成された外壁面以外の他の面がフレーム構造であること、
（１０）前記（１）、（２）、及び（５）ないし（８）に記載の雨水貯留用骨格ブロック構造体の流入部ユニット又は流出部ユニットのいずれかあるいはその両者において、側面（外壁面を除く）の１つを除き他の面はすべてパネルで形成されていること、
（１１）前記（１）、及び（５）ないし（８）に記載の雨水貯留用骨格ブロック構造体の流入部ユニットにおいて、側面（外壁面を除く）の少なくとも１つの面の流入雨水がブロック構造体側にオーバーフローするようにその側面の下部のみがパネルで形成され、他の側面及び底面はパネルで形成されていること、
（１２）前記（３）、及び（５）ないし（８）に記載の雨水貯留用骨格ブロック構造体の流入部ユニットにおいて、前記ブロック構造体に当接している面が、流入雨水がブロック構造体側にオーバーフローするようにその側面の下部のみがパネルで形成されていること、
（１３）前記（１）ないし（１２）に記載の雨水貯留用骨格ブロック構造体において、前記流入部ユニット又は流出部ユニットのいずれかあるいはその両者にフランジ継ぎ手等の容易に接続可能な部材が固定されている外壁面パネルが取り外し可能な構造であることを特徴としている。
【発明の効果】
【００１７】
本発明の流入部ユニット又は流出部ユニットのいずれかあるいはその両者が配設された雨水貯留用骨格ブロック構造体は、現場における作業効率を大幅に向上して、雨水等の流入、流出配管の施工の位置精度が向上して配管の取付け強度も大幅に向上すると共に、止水もより完全なものとなる。また、泥溜めマスの設置が可能で、少なくとも流入部ユニット又は流出部ユニットのいずれかあるいはその両者にフランジ継ぎ手等の容易に接続可能な部材が固定されている外壁面を取り外し可能とすることにより、メンテナンスも容易となる。
【発明を実施するための最良の形態】
【００１８】
本発明の雨水貯留用骨格ブロック構造体は、例えば地面を掘り下げて設けられた雨水貯留用施設で、基台と該基台を支持する支持体から形成される空間保持可能である骨格ブロックを配列させた構造体の外壁面に流入部ユニット又は流出部ユニットのいずれかあるいはその両者を設け、該構造体の外周をポリプロピレン等の熱可塑性樹脂製の板、又はポリプロピレン、ポリエステル等の不織布シートで覆うことにより雨水貯留の機能を持たせた雨水貯留用骨格ブロック構造体であり、従来の雨水等の貯留施設のほかにも種々の雨水等の貯留施設の用いることができる。
以下、本発明の実施形態１ないし４について説明する。
[１] 実施形態１、２
実施形態１と２の雨水貯留用骨格ブロック構造体は、
（１）平板状の基台と該基台の少なくとも一方の面に立設されて該基台を支持する支持体から形成される空間保持可能な骨格ブロックを三次元的に配列させた雨水貯留用骨格ブロック構造体であって、
（２）該ブロック構造体には雨水流入部又は流出部の流入部ユニット（実施形態１）又は流出部ユニット（実施形態２）のいずれかあるいはその両者がその外壁面の一部を形成するように配設されていて、それぞれ該流入部ユニット、流出部ユニットはその外壁面がパネルで形成されており、
（３）雨水流入と流出用の配管が継ぎ手（例えばフランジ継ぎ手）又は配管をパネルに溶接することにより該パネルに固定されていることを特徴とする。
【００１９】
実施形態１と２の雨水貯留用骨格ブロック構造体は、流入部ユニット（実施形態１）又は流出部ユニット（実施形態２）のいずれかあるいはその両者が該骨格ブロック構造体の外壁面の一部を形成するようにはめ込まれている構造のものである。
（１）骨格ブロックを配列させた雨水貯留用骨格ブロック構造体について
（ｉ）骨格ブロック
本発明の骨格ブロックは、平板状の基台と該基台の少なくとも一方の面に立設されて該基台を支持する支持体から形成される空間保持可能な骨格ブロックであればよく、三次元な配列により空間保持が可能であれば特にその骨格の形状、ブロックの材質等について限定されるものではない。
【００２０】
例えば、該骨格ブロックは、平板上の基台と、該基台の一方の面に立設され先端に支持体側嵌合部を有する支持体と、該支持体が立設された側の前記基台面に設けられ前記支持体側嵌合部が嵌合可能な基台側嵌合部とを有し、かつ一対の前記骨格ブロックを前記支持体が立設された基台同士を対向させたとき、一方の骨格ブロックの前記支持体側嵌合部が他方の骨格ブロックの前記基台側嵌合部に嵌合できる構造とすることができる。
【００２１】
このような骨格ブロックは、平板上の基台と、該基台の一方の面に立設され先端に支持体側嵌合部を有する支持体と、該支持体が立設された前記基台面側に設けられ前記支持体嵌合部が嵌合可能な基台側嵌合部とを有する非容器上の形状をしているため、骨格ブロック同士を上下縦横に組み付けて構成した空間保持骨格ブロック構造体には隙間が多い。
【００２２】
また容器型のものと異なり、複数個の骨格ブロック同士を上下縦横に組み付けて構成した空間保持骨格ブロック構造体を構築するときに、例えば支持体の部分の外径が細いため、また、基台の部分の厚さも比較的薄いため、持ち運びの作業が容易である。このような骨格ブロックを用いると運搬が容易で、空間保持骨格ブロック構造体の組み立て作業が容易になる。
【００２３】
以下に本発明の骨格ブロックの例を図２，３を用いて説明する。
【００２４】
図２は、本発明の骨格ブロックの一実施例を示す斜視図である。
【００２５】
図２に示すように骨格ブロック４は、平板状で外形が略正方形（以下、単に正方形という）の基台４１と、この基台４１上の２本の対角線の一方の対角線上に立設され、先端に支持体側嵌合部４２ａを有する２本の支持体４２と、支持体４２が立設された側と同じ基台面に設けられ、支持体側嵌合部４２ａが嵌合可能な２個の基台側嵌合部４３を他方の対角線上に有している。しかもこの骨格ブロック４を２個用意し、この一対の骨格ブロック４同士を支持体４２が立設された基台面同士を対抗させたとき、一方の骨格ブロック４の２本の支持体４２の先端に位置する支持体側嵌合部４２ａが、他方の骨格ブロック４の２個の基台側嵌合部４３にそれぞれ嵌合するようになっている。
【００２６】
尚、この基台側嵌合部４３としては嵌合穴であることが一般的であるが。支持体側嵌合部４２ａ側を嵌合穴にし、基台側嵌合部４３を嵌合突起にすることもできる。
【００２７】
具体的には、図２における下方の図が示すように、図２で３段目と表示された骨格ブロックと同じものを、上下に互いにその支持体４２側を対向させて組んだとき、１段目の骨格ブロック４の支持体４２の支持体側嵌合部４２ａが、上下を逆さにして乗せた２段目の骨格ブロック４の基台側嵌合部４３に、そして２段目の骨格ブロック４の支持体４２の支持体側嵌合部４２ａが１段目の骨格ブロック４の基台側嵌合ブ４３にそれぞれ嵌合するようになっている。
【００２８】
骨格ブロック４のサイズは、実用的な点から、縦、横、高さのサイズはそれぞれ３０〜１２０ｃｍの範囲とするのが望ましく、特に７０ｃｍ近傍の大きさのものが特に多く用いられる。
（ii）骨格ブロックを配列させた雨水貯留用骨格ブロック構造体
本発明の骨格ブロックを配列させた構造体は、上記した平板状の基台と該基台の少なくとも一方の面に立設されて該基台を支持する支持体から形成される空間保持可能な骨格ブロックを三次元的に配列させて得られるものであり、その配列方法は雨水貯留の目的を達成できるものであれば特に限定されるものではない。
【００２９】
上記図２に示した骨格ブロックの三次元的に配列について例示すると以下の通りとなる。
【００３０】
例えば、平板状で正方形の基台４１の、長さｌの２本の対角線上において、基台４１の中心部４５から等距離（ｌ／４）の位置に支持体４２が、そして他方の対角線上に基台側嵌合部４３が、図３に示すように各々２個ずつ配置されている。
【００３１】
尚、以下の図においては、丸が、例えば嵌合穴等からなる嵌合受け部である基台嵌合部４３を二重丸が先端に、例えば突起状の支持体側嵌合部４２ａを有する支持体４２を示している。図３では図を判り易くするため、左上方から右下方に引かれている対角線上に配置されている基台側嵌合部４３には寸法をいれていないが、右上方から左下方に引かれている対角線上に設けられている支持体４２と同様の位置関係にある。
【００３２】
図３において、左の骨格ブロック４を１段目の骨格ブロック４とする。この１段目の骨格ブロック４を支持体４２が立設されている側をうえに向けて置き、右側に描かれている２段目の骨格ブロック４であって、左側の１段目のそれと同一形状のものを、１段目の骨格ブロック４の上に載せる。このとき１段目の骨格ブロック４の支持体４２の先端の支持体側嵌合部４２ａを２段目の骨格ブロック４の基台側嵌合部４３に嵌合するように、そして２段目の骨格ブロック４の支持体４２における支持体嵌合部４２ａが１段目の骨格ブロック４の基台側嵌合部４３に嵌合するように位置決めし、２奪目の骨格ブロック４を１段目の骨格ブロック４上に載せる。
【００３３】
尚、図２で右側の骨格ブロック４は２段目を形成する骨格ブロック４を示しており、１段目の骨格ブロック４に載せる前に、支持体４２側を上にした状態を示す平面図である。この２段目の骨格ブロック４を矢印が示すように上下を逆さにして１段目の骨格ブロック４上に載せて組み付ける。
【００３４】
このようにして組み立てられた骨格ブロック構造体は、流入部ユニットと流出部ユニットを形成する外壁面を除いて、その全体は、例えばシート（例えば厚さ２５ｍｍ程度のポリプロピレン製のパネル）、又はポリエステルとポリプロピレン不織布のシートにより覆われてシールされる。
（２）流入部ユニット、流出部ユニット
本発明における実施形態１の流入部ユニットと、実施形態２の流出部ユニットは、本発明の骨格ブロック構造体における雨水流入部、雨水流出部に骨格ブロックの一部をそれぞれ流入部ユニット、流出部ユニットに置き換えて形成される。
【００３５】
本発明における流入部ユニットと流出部ユニットは、これらの双方が骨格ブロック構造体に設けられている必要はなく、少なくともいずれか一方が設けられていればよい。
【００３６】
例えば流出部ユニットのみを設置してもよく、また流入部ユニットのみを設置して雨水等の貯留浸透施設として使用しても本発明の効果を得ることができる。
（ｉ）設置場所
流入部ユニットは、雨水排水の配管等により接続されて、雨水貯留用骨格ブロック構造体への受入部分のユニットである。従って、流入部ユニットの設置場所は、外壁面の一部を形成するように設置すればよくその位置に特に制限はないが、雨水貯留用骨格ブロック構造体における側面または上部に設けることもできるが、側面に設ける場合には比較的上部に近い位置とするのが好ましい。
【００３７】
流出部ユニットの設置場所は、オーバーフローとして使用する場合には側部の比較的上側の位置とするのが好ましく、また、雨水排水のくみ上げに使用する場合には側部の比較的下側の位置とするのが好ましいが、流出部ユニットのフランジ部から該ブロック構造体内側へのインサート配管を使用すれば設置場所に特に制限はない。
（ii）流入部ユニット、流出部ユニットの構造
流入、流出部ユニットは、流入、流出配管を固定するために、少なくともその外壁面をパネル構造とする必要がある。すなわち、流入、流出配管を流入部ユニットと流出部ユニットにそれぞれ固定するにはフランジ継ぎ手のフランジ面を該パネルに当接させて、ボルト・ナット等により固定、又は他の継ぎ手（例えば差込み継ぎ手等）もしくは配管をパネルに溶接すること等により固定する必要があるためである。
【００３８】
流入、流出部ユニットの外壁面以外の構造は、特に制限はなく、パネル構造を有しない図４（Ｂ）に示すようなフレーム構造でもよく、また該ユニット構造の強度を向上させるために外壁面以外の雨水に流入、流出用の一面を開口として他の２〜４面をパネル構造とすることも可能であるが、該強度向上の目的には開口面以外の他の５面を図４（Ａ）の例えば右側の側面部についてはパネル５１として示すように全てパネル構造とするのが望ましい。
【００３９】
該パネルの流入部ユニット、及び流出部ユニットへの取付けは、例えば、流入部ユニット、及び流出部ユニットの骨格がフレーム５２より形成されている場合には、パネルを該フレームにボルト・ナット等により固定できるが、この場合、ゴム、エラストマー、ガスケット等を使用してシール構造とすることが望ましい。
（iii）配管のフランジ継ぎ手等による該パネルに固定
雨水流入、流出配管サイズに特に制限はなく、その使用目的に応じて適宜選択することが可能であるが、実用的な観点からその直径は、流入量を稼ぐため、直径は大きければ大きい方が望ましいが、一般的には、１５〜５０ｃｍ程度が好ましい。
【００４０】
配管の径が細過ぎると泥水により閉塞を生じ易く、太過ぎると経済的な面と配管に滞留部が生じて泥の滞留の問題が生じる。
【００４１】
配管とフランジ継ぎ手はプラスチック材料製又は金属製のいずれで形成されていてもよく、市販品又はフランジサイズが特殊な場合には公知の方法で、フランジ付配管を作製することができる。該フランジの流入、流出部ユニットの外壁面への取付けは、フランジ面に４〜６個程度のボルト通し穴を設けておいて、ボルト・ナットにより固定できる。尚、この場合、フランジ面からの雨水漏れを防ぐために、ガスケット、Ｏリング等を使用するのが望ましい。
【００４２】
雨水流入、流出配管は前記パネルに固定されていれば本発明の目的を達成できるのでその固定手段に特に制限はない。配管をパネルに固定する具体的方法として、フランジ継ぎ手、差込み継ぎ手又は配管をパネルに溶接する方法等が例示でき、更にフランジ継ぎ手を用いる方法の他、ＰＶＣ溶接により配管をフランジに溶接する方法も用いることができる。ＰＶＣ溶接による方法としては、配管をフランジに溶接部から漏れ等を生じずに溶接し、さらにパネルに溶接された配管が十分な強度を有していれば良い。従って、配管を溶接によりパネルに溶接した構造の流入部ユニット、流出部ユニットを用いることも本発明に含まれる。
（iv）流入部ユニット、流出部ユニットのサイズ
流入部ユニット又は流出部ユニットのいずれかあるいは両者のサイズに特に制限はないが、該骨格ブロック構造体の骨格ブロックの形状に合わせて立方体又は直方体とするのが望ましい。該流入部ユニットと流出部ユニットは、骨格ブロック構造体の骨格ブロック間にはめ込んで三次元的に配列させるので、その大きさが骨格ブロックの単位の大きさと同一かまたはその整数倍とするのが望ましい。
【００４３】
また、前記三次元的に配列させる場合に、流入部ユニット又は流出部ユニットのいずれかあるいはその両者の大きさが骨格ブロックの単位の各辺のサイズと同一か、あるいは少なくともその１辺が骨格ブロックの対応する辺の長さの整数倍とすることもできる。通常は整数倍とする１辺は、高さ方向の寸法がブロックの平面方向（縦×横）と比べると小さいので、高さ方向にすることが多い。特に、少し太径の流入出管を使用する場合には、このようにすると、流入量や流出量を大きくすることでき、大型の雨水貯留槽を構築する場合には便利である。
（ｖ）溜めマス構造
発明の流入部ユニットを泥溜めマス又は泥流入防止マスの役割を付与するために、流入部ユニットにおいて、側面（外壁面を除く）の少なくとも１つの面において流入雨水がブロック構造体側にオーバーフローするようにその側面の水平方向下部の一部のみがパネルで形成され、他の側面及び底面は全面パネルで形成されている構造とすることができる。
【００４４】
この場合のオーバーフロー用パネルの高さは１０ｃｍ程度から最大でも骨格ブロックの高さより少し低い必要がある。
（vi）外壁面パネルの取り外し構造
実施形態１、２の雨水貯留用骨格ブロック構造体において、少なくとも前記流入部ユニット又は流出部ユニットのいずれかあるいは両者のフランジ継ぎ手が固定されている外壁面パネルは、メンテナンス上、又は溜めマスの泥除去等の目的で取り外し可能な構造とするのが有利である。このような外壁面パネルの取り外しはボルト、ナット等の固定手段により容易に可能である。
[２] 実施形態３、４
実施形態３と４の雨水貯留用骨格ブロック構造体は、それぞれ
（１）平板状の基台と該基台の少なくとも一方の面に立設されて該基台を支持する支持体から形成される空間保持な骨格ブロックを三次元的に配列させた雨水貯留用骨格ブロック構造体であって、
（２）前記ブロック構造体に流入部ユニット（実施形態３）又は流出部ユニット（実施形態４）が当接している当接面には開口部が設けられ、該当接面以外の５つの外壁面がパネルで形成された該流入部ユニット又は流出部ユニットが該ブロック構造体から突出するように配設され、
（３）かつ雨水流入用の配管がフランジ継ぎ手又は配管をパネルに溶接することにより該パネルに固定されていることを特徴とする。
【００４５】
すなわち、実施形態３と４の雨水貯留用骨格ブロック構造体は、それぞれ（ｉ）平板状の基台と該基台の少なくとも一方の面に立設されて該基台を支持する支持体から形成される空間保持な骨格ブロックを三次元的に配列させた雨水貯留用骨格ブロック構造体であって、（ii）該ブロック構造体には雨水流入部に流入部ユニット（実施形態３）及び／又は雨水流入部に流出部ユニット（実施形態４）が該ブロック構造体から突出するように配設されており、該流入部ユニット及び流出部ユニットはそれぞれ該ブロック構造体に当接する面には開口部が設けられていて、該当接面以外の５面の外壁面がパネルで形成されており、（iii）かつ雨水流入又は流出用の配管が固定されていること（例えば、フランジ継ぎ手又は配管をパネルに溶接すること）により該パネルに固定されている、ことを特徴とする。
【００４６】
実施形態３、４の雨水貯留用骨格ブロック構造体は、流入部ユニット又は流出部ユニットのいずれかあるいはその両者が該骨格ブロック構造体の外壁面から突出するように形成されている構造のものである。
（１）骨格ブロックを配列させた雨水貯留用骨格ブロック構造体について
骨格ブロック、及び該骨格ブロックを配列させた雨水貯留用骨格ブロック構造体については、実施形態１、２と同じである。
（２）該ブロック構造体から突出するように配設された流入部ユニット、流出部ユニット
（ｉ）設置場所
該流入部ユニットと流出部ユニットが該骨格ブロック構造体の外壁面から突出するように形成されている構造である以外は、実施形態１、２と同じである。
【００４７】
流入部ユニットと流出部ユニットが該骨格ブロック構造体の外壁面から突出するように形成されていると、特にメンテナンス上、また泥溜め構造を設けた場合の泥の除去等に特に有利である。
（ii）流入部ユニット、流出部ユニットの構造
流入部ユニット、流出部ユニットの構造は、該ブロック構造体に当接する開口部面以外の５面は、外部とのシールのためにパネル構造とする必要がある。この場合、フランジ継ぎ手又は配管が固定される面は側部の３面に限定されず、これらのユニットの上部でもよく、又下部に設けることも可能である。
（iii）配管のフランジ継ぎ手等による該パネルに固定、及び流入部ユニット、流出部ユニットのサイズについては、実施形態１、２と同じである。
（iv）溜めマス構造
骨格ブロック構造体に泥溜めマス又は泥流入防止マス構造を設ける場合には、該ブロック構造体に当接する開口部面に実施形態１で記載したオーバーフロー用パネルを設けることができる。
【実施例】
【００４８】
以下、実施例を用いて本発明をさらに詳しく説明するが、本発明はこれによって限定されるものではない。
[実施例１]
（ｉ）骨格ブロックの作製
図５（Ａ）に示す（ポリプロピレン）製骨格ブロックを作製した。該骨格ブロックの１ユニットのサイズは縦、横、高さがそれぞれ約７０ｃｍ、約７０ｃｍ、約４０ｃｍである。
【００４９】
該骨格ブロックは、基台の一方の面に立設された２つの支持体を互いに対向させて、他方の基台の嵌合部に嵌合させた構造である。
（ii）流入部ユニットと流出部ユニットの作製
又、流入部ユニットと流出部ユニットは、図５（Ｂ）に示すような、横、高さがそれぞれ約７０ｃｍ、約７０ｃｍ、約４０ｃｍであり、骨格ブロック構造体に当接する面を開口させて他の面はパネル構造とした。尚、外壁面を形成する面の中央部にはそれぞれ、約２０ｃｍの開口を設け、配管フランジ継ぎ手を該面に当接させてフランジ部に設けられた６個の孔によりボルト・ナットで外壁面を形成するパネルに固定されている。
【００５０】
尚、流入部ユニットと流出部ユニットのサイズは、図５に示すように骨格ブロックの高さ方向に２倍の大きさである。
（iii）骨格ブロック構造体の組立て
図６に示すように前記骨格ブロックを幅方向に９列、奥行き方向に５列、高さ方向に５列配列させてブロック構造体とした。
【００５１】
尚、流入部ユニットと流出部ユニットを配設する部分の２層の骨格ブロックを抜いて、流入部ユニットと流出部ユニットでそれぞれ置き換えた。
【産業上の利用可能性】
【００５２】
本発明の骨格ブロック構造体は、大きなビルや団地周辺の空き地や自転車置き場の地下等において、降った雨水を貯留して、都市型の洪水を防ぐ目的（一時貯水型）、及び貯水施設に貯めた雨水を防火水、花壇、菜園等の散水用として利用する目的（貯水型）に有用である。
【図面の簡単な説明】
【００５３】
【図１】従来からある一般的な雨水等の貯水施設を示す断面図である。
【図２】本発明の骨格ブロックの一例で、骨格ブロック同士を上下方向に積層していく状態を示す模式的な斜視図である。
【図３】図２に示す骨格ブロックの平面図である。
【図４】本発明の骨格ブロックの一例である。
【図５】実施例１で使用した骨格ブロックと流入部ユニットと流出部ユニットの斜視図である。
【図６】実施例１における雨水貯留用骨格ブロック構造体の斜視図である。
【符号の説明】
【００５４】
４    骨格ブロック
４１  基台
４２  支持体
４２ａ  支持体側嵌合部
４３  基台側嵌合部
４５  中心部
５１  パネル
５２  フレーム
【図１】
2007262676.tif 000002
【図２】
2007262676.tif 000003
【図３】
2007262676.tif 000004
【図４】
2007262676.tif 000005
【図５】
2007262676.tif 000006
【図６】
2007262676.tif 000007